(57)【特許請求の範囲】
【請求項１】
画像が投影される領域の一部に設けられて光線を反射する前面投射型の後側スクリーンと、
前記後側スクリーンに投影される以外の領域で光線を反射する反射物と、
前記後側スクリーンと同時に見るユーザに対して前記後側スクリーンと重なって見える位置に設けられる前側スクリーンであって、前記反射物で反射した光線を前記後側スクリーンの前方位置で反射する後面投射型の前側スクリーンと、
を備える画像表示装置。
【請求項２】
請求項１に記載の画像表示装置と、
前記画像表示装置が備える前側スクリーンに第１画像を投影し、前記画像表示装置が備える後側スクリーンに第２画像を投影するプロジェクタと、
を備える画像表示システム。
【請求項３】
請求項１に記載の画像表示装置と、
前記画像表示装置が備える前側スクリーンに第１画像を投影し、前記画像表示装置が備える後側スクリーンに第２画像を投影するプロジェクタと、
遊戯装置と、
を備える遊技機。
【請求項４】
画像表示装置の画像表示方法であって、
画像が投影される領域の一部に設けられて光線を前面投射型の後側スクリーンによって反射することと、
前記後側スクリーンに投影される以外の領域で光線を反射物によって反射することと、
前記後側スクリーンと同時に見るユーザに対して前記後側スクリーンと重なって見える位置に設けられる前側スクリーンによって、前記反射物で反射した光線を前記後側スクリーンの前方位置で反射することと、
を含む画像表示方法。
【発明の詳細な説明】
【技術分野】
【０００１】
本発明は、画像表示装置、画像表示システム、遊技機及び画像表示方法に関する。
【背景技術】
【０００２】
ぱちんこや回胴式遊技機における抽選などの演出は、複数の液晶パネルを用いて行われる場合がある。そのような演出において、液晶パネルに表示される画像は、大当たりの期待度と関連付けられている場合が多いため、鮮明に表示される必要がある。
特許文献１〜４には、関連する技術として、画像を鮮明に表示させる技術が開示されている。
【先行技術文献】
【特許文献】
【０００３】
【特許文献１】特開２００５−１１４９１３号公報
【特許文献２】特開２００３−１２１９４３号公報
【特許文献３】特開２００２−３６５７３０号公報
【特許文献４】特開２００１−２９６６０９号公報
【発明の概要】
【発明が解決しようとする課題】
【０００４】
ところで、液晶パネルが表示する画像は、一般的に鮮明である。しかしながら、液晶パネルは、比較的高価なデバイスである。
そのため、ぱちんこや回胴式遊技機において、簡易的な構成で複数の液晶パネルと同様の演出効果を得ることのできる技術が求められていた。
【０００５】
本発明は、上記の課題を解決することのできる画像表示装置、画像表示システム、遊技機及び画像表示方法を提供することを目的としている。
【課題を解決するための手段】
【０００６】
上記目的を達成するために、本発明は、画像が投影される領域の一部に設けられて光線を反射する前面投射型の後側スクリーンと、前記後側スクリーンに投影される以外の領域で光線を反射する反射物と、前記後側スクリーンと同時に見るユーザに対して前記後側スクリーンと重なって見える位置に設けられる前側スクリーンであって、前記反射物で反射した光線を前記後側スクリーンの前方位置で反射する後面投射型の前側スクリーンと、を備える画像表示装置である。
【０００８】
また、本発明は、上述の画像表示装置と、前記画像表示装置が備える前側スクリーンに第１画像を投影し、前記画像表示装置が備える後側スクリーンに第２画像を投影するプロジェクタと、を備える画像表示システムである。
【０００９】
また、本発明は、上述の画像表示装置と、前記画像表示装置が備える前側スクリーンに第１画像を投影し、前記画像表示装置が備える後側スクリーンに第２画像を投影するプロジェクタと、遊戯装置と、を備える遊技機である。
【００１０】
また、本発明は、画像表示装置の画像表示方法であって、画像が投影される領域の一部に設けられて光線を前面投射型の後側スクリーンによって反射することと、前記後側スクリーンに投影される以外の領域で光線を反射物によって反射することと、前記後側スクリーンと同時に見るユーザに対して前記後側スクリーンと重なって見える位置に設けられる前側スクリーンによって、前記反射物で反射した光線を前記後側スクリーンの前方位置で反射することと、を含む画像表示方法である。
【発明の効果】
【００１１】
本発明によれば、ぱちんこや回胴式遊技機において、簡易的な構成で複数の液晶パネルと同様の演出効果を得ることができる。
【図面の簡単な説明】
【００１２】
【図１】本発明の第一の実施形態による画像表示装置の最小構成を示す図である。
【図２】本発明の第二の実施形態による画像表示システムの構成を示す図である。
【図３】本発明の第二の実施形態における画像表示システムの表示例を示す第１の図である。
【図４】本発明の第二の実施形態による画像表示装置の処理フローを示す図である。
【図５】本発明の第二の実施形態における画像表示システムの表示例を示す第２の図である。
【図６】本発明の第三の実施形態による画像表示システムの構成を示す図である。
【図７】本発明の第三の実施形態における画像表示システムの表示例を示す図である。
【図８】本発明の第三の実施形態による画像表示装置の処理フローを示す図である。
【発明を実施するための形態】
【００１３】
＜第一の実施形態＞
本発明の第一の実施形態による画像表示装置について説明する。
本発明の第一の実施形態による画像表示装置は、本発明の最小構成の画像表示装置である。
本発明の第一の実施形態による画像表示装置１０は、図１に示すように、少なくとも、後側スクリーン１０１と、反射物１０２と、前側スクリーン１０３と、を備える。
【００１４】
後側スクリーン１０１は、画像が投影される領域の一部に設けられて光線を反射する。
反射物１０２は、後側スクリーン１０１に投影される以外の領域で光線を反射する。
前側スクリーン１０３は、反射物１０２で反射した光線を後側スクリーン１０１の前方位置で反射する。
【００１５】
このようにすれば、画像表示装置１０は、ぱちんこや回胴式遊技機において、簡易的な構成で複数の液晶パネルと同様の演出効果を得ることができる。
【００１６】
＜第二の実施形態＞
本発明の第二の実施形態による画像表示システム装置について説明する。
本発明の第二の実施形態による画像表示システム１は、図２に示すように、画像表示装置１０と、プロジェクタ２０と、を備える。
【００１７】
画像表示装置１０は、前面投射型の後側スクリーン１０１と、反射物１０２と、後面投射型の前側スクリーン１０３と、を備える。
【００１８】
後側スクリーン１０１は、画像が投影される領域の一部に設けられて光線を反射する。
反射物１０２は、後側スクリーン１０１に投影される以外の領域で光線を反射する。
前側スクリーン１０３は、反射物１０２で反射した光線を後側スクリーン１０１の前方位置で反射する。
なお、反射物１０２は、前側スクリーン１０３と直交する方向から見て、前側スクリーン１０３と重なる位置に配置されている。また、後側スクリーン１０１は、例えば、図３に示すように、前側スクリーン１０３と後側スクリーン１０１とを同時に見るユーザに対して、前側スクリーン１０３と重ならずに見える位置に設けられる。
【００１９】
プロジェクタ２０は、投影部２０１を備える。
投影部２０１は、第１画像を前側スクリーン１０３に投影する。投影部２０１は、第２画像を後側スクリーン１０１に投影する。
【００２０】
図４に示す本発明の第二の実施形態による画像表示システム１の処理フローについて説明する。
ここでは、ユーザがぱちんこを打ち、リーチが掛かった場合に画像表示システム１の備える画像表示装置１０が行う演出の処理について説明する。
なお、前側スクリーン１０３は、図３で示したように、遊技機の前方にあって、前側スクリーン１０３と後側スクリーン１０１とを同時に見るユーザに対して、後側スクリーン１０１と重ならずに見える位置に設けられているとする。
【００２１】
ユーザがぱちんこのハンドルを回転し、ぱちんこ玉を発射する。ぱちんこ玉は、釘の間を通り抜け、スタートチャッカ―に入る。ぱちんこは、ぱちんこ玉がスタートチャッカ―に入ると、大当たりの抽選を開始する。
例えば、回転している３つの絵柄が止まり揃ったときに大当たりが確定する大当たりの抽選において、２つの絵柄が止まった時点で絵柄が揃いリーチが掛かったとする。
投影部２０１は、リーチが掛かると、第１画像を示す投射光を反射物１０２に投射する（ステップＳ１）。
投影部２０１は、第２画像を示す投射光を後側スクリーン１０１に投射する（ステップＳ２）。
反射物１０２は、投影部２０１から投射された投射光を反射して、第１画像を示す投射光を前側スクリーン１０３に投射する（ステップＳ３）。
【００２２】
大当たりの抽選における演出の具体例について、以下で説明する。
大当たりの抽選における演出は、例えば、リーチが掛からない通常時に、投影部２０１が、前側スクリーン１０３または後側スクリーン１０１の何れか一方のみに画像を映し、リーチが掛かると、図３で示したように、画像が映っていなかったスクリーンに画像を投影してもよい。
このようにすれば、画像表示装置１０は、ぱちんこや回胴式遊技機において、前側スクリーン１０３と後側スクリーン１０１により奥行き方向の立体感を演出することができ、大当たりの期待を高めることができると共に、簡易的な構成で複数の液晶パネルと同様の演出効果を得ることができる。
また、大当たりの抽選における演出は、例えば、リーチが掛からない通常時に、前側スクリーン１０３は、スライド式の扉３０１により表示が隠されており、リーチが掛かると、図５に示すように、扉が開き大当たりであることを報知してもよい。
このようにすれば、画像表示装置１０は、ぱちんこや回胴式遊技機において、前側スクリーン１０３と後側スクリーン１０１により奥行き方向の立体感を演出することができ、大当たりの期待を高めることができると共に、簡易的な構成で複数の液晶パネルと同様の演出効果を得ることができる。
【００２３】
以上、本発明の第二の実施形態による画像表示装置１０を備える画像表示システム１について説明した。
本発明の第二の実施形態による画像表示装置１０は、後側スクリーン１０１と、反射物１０２と、前側スクリーン１０３と、を備える。後側スクリーン１０１は、画像が投影される領域の一部に設けられて光線を反射する。反射物１０２は、後側スクリーン１０１に投影される以外の領域で光線を反射する。前側スクリーン１０３は、反射物１０２で反射した光線を後側スクリーン１０１の前方位置で反射する。前側スクリーン１０３は、前側スクリーン１０３と後側スクリーン１０１とを同時に見るユーザに対して、後側スクリーン１０１と重ならずに見える位置に設けられる。
このようにすれば、画像表示装置１０は、ぱちんこや回胴式遊技機において、簡易的な構成で複数の液晶パネルと同様の演出効果を得ることができる。
【００２４】
＜第三の実施形態＞
本発明の第三の実施形態による画像表示システム装置について説明する。
本発明の第三の実施形態による画像表示システム１は、図６に示すように、画像表示装置１０と、プロジェクタ２０と、を備える。
【００２５】
画像表示装置１０は、後側スクリーン１０１と、反射物１０２と、前側スクリーン１０３と、を備える。
【００２６】
後側スクリーン１０１は、画像が投影される領域の一部に設けられて光線を反射する。
反射物１０２は、後側スクリーン１０１に投影される以外の領域で光線を反射する。
前側スクリーン１０３は、反射物１０２で反射した光線を後側スクリーン１０１の前方位置で反射する。
前側スクリーン１０３は、例えば、図７に示すように、前側スクリーン１０３と後側スクリーン１０１とを同時に見るユーザに対して、後側スクリーン１０１と重なって見える位置に設けられる。
【００２７】
プロジェクタ２０は、投影部２０１を備える。
投影部２０１は、第１画像を前側スクリーン１０３に投影する。投影部２０１は、第２画像を後側スクリーン１０１に投影する。
【００２８】
図８に示す本発明の第三の実施形態による画像表示システム１の処理フローについて説明する。
ここでは、ユーザがぱちんこを打ち、リーチが掛かった場合に画像表示システム１の備える画像表示装置１０が行う演出の処理について説明する。
なお、前側スクリーン１０３は、図７で示したように、前側スクリーン１０３と後側スクリーン１０１とを同時に見るユーザに対して、後側スクリーン１０１と重なって見える位置に設けられているとする。
【００２９】
ユーザがぱちんこのハンドルを回転し、ぱちんこ玉を発射する。ぱちんこ玉は、釘の間を通り抜け、スタートチャッカ―に入る。ぱちんこは、ぱちんこ玉がスタートチャッカ―に入ると、大当たりの抽選を開始する。
例えば、回転している３つの絵柄が止まり揃ったときに大当たりが確定する大当たりの抽選において、２つの絵柄が止まった時点で絵柄が揃いリーチが掛かったとする。
投影部２０１は、ステップＳ１とステップＳ２の処理を行う。
反射物１０２は、ステップＳ３の処理を行う。
前側スクリーン１０３は、後側スクリーン１０１と重なって見える部分の第２画像を透過して表示する（ステップＳ４）。
【００３０】
大当たりの抽選における演出の具体例について、以下で説明する。
大当たりの抽選における演出は、例えば、リーチが掛からない通常時に、投影部２０１が、後側スクリーン１０１のみに第２画像を映し、リーチが掛かると、図７で示したように、前側スクリーン１０３に第１画像を投影し、第１画像と共に透過した第２画像を映してもよい。
このようにすれば、画像表示装置１０は、ぱちんこや回胴式遊技機において、前側スクリーン１０３と後側スクリーン１０１により奥行き方向の立体感を演出することができ、大当たりの期待を高めることができると共に、簡易的な構成で複数の液晶パネルと同様の演出効果を得ることができる。
また、大当たりの抽選における演出は、例えば、リーチが掛からない通常時に、前側スクリーン１０３は、スライド式の扉３０１により表示が隠されており、リーチが掛かると、図５に示すように、扉が開き大当たりであることを報知してもよい。
このようにすれば、画像表示装置１０は、ぱちんこや回胴式遊技機において、前側スクリーン１０３と後側スクリーン１０１により奥行き方向の立体感を演出することができ、大当たりの期待を高めることができると共に、簡易的な構成で複数の液晶パネルと同様の演出効果を得ることができる。
【００３１】
以上、本発明の第三の実施形態による画像表示装置１０を備える画像表示システム１について説明した。
本発明の第二の実施形態による画像表示装置１０は、後側スクリーン１０１と、反射物１０２と、前側スクリーン１０３と、を備える。後側スクリーン１０１は、画像が投影される領域の一部に設けられて光線を反射する。反射物１０２は、後側スクリーン１０１に投影される以外の領域で光線を反射する。前側スクリーン１０３は、反射物１０２で反射した光線を後側スクリーン１０１の前方位置で反射する。前側スクリーン１０３は、前側スクリーン１０３と後側スクリーン１０１とを同時に見るユーザに対して、後側スクリーン１０１と重なって見える位置に設けられる。
このようにすれば、画像表示装置１０は、ぱちんこや回胴式遊技機において、簡易的な構成で複数の液晶パネルと同様の演出効果を得ることができる。
【００３２】
なお、本発明の実施形態における処理フローは、適切な処理が行われる範囲において、処理の順番が入れ替わってもよい。
【００３３】
本発明の実施形態における記憶部のそれぞれは、適切な情報の送受信が行われる範囲においてどこに備えられていてもよい。また、記憶部のそれぞれは、適切な情報の送受信が行われる範囲において複数存在しデータを分散して記憶していてもよい。
【００３４】
本発明の実施形態について説明したが、上述の画像表示装置１０は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【００３５】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００３６】
本発明のいくつかの実施形態を説明したが、これらの実施形態は、例であり、発明の範囲を限定しない。これらの実施形態は、発明の要旨を逸脱しない範囲で、追加、種々の省略、置き換え、変更を行ってよい。
【符号の説明】
【００３７】
１０・・・画像表示装置
２０・・・プロジェクタ
１０１・・・後側スクリーン
１０２・・・反射物
１０３・・・前側スクリーン
２０１・・・投影部
３０１・・・スライド式の扉
【図１】
0006673581.tif 000002
【図２】
0006673581.tif 000003
【図３】
0006673581.tif 000004
【図４】
0006673581.tif 000005
【図５】
0006673581.tif 000006
【図６】
0006673581.tif 000007
【図７】
0006673581.tif 000008
【図８】
0006673581.tif 000009